(57)【要約】【課題】フィンに回動用リンク部材を取り付ける必要がなく、枠体へのフィンの組み付け作業が容易な自動車等のレジスタの提供を目的とする。【解決手段】枠体内に、風向調節用として複数のフィン３１が並列に配置されて各フィン３１が両端の回動軸３７で軸着され、前記複数のフィン３１が同一方向へ回動可能とされた自動車等のレジスタにおいて、フィン３１が板状部３３と、該板状部３３の長さ方向両端に回動軸３７とを備え、隣り合うフィン３１，３１同士については、板状部３３における空気吹き出し口側の端部又は空気供給口側の端部がヒンジ部４１で連結され、一つのフィン３１の回動により、ヒンジ部４１を介して他のフィン３１も回動する構成とした。【選択図】図２
2010208569.tif 000002
【特許請求の範囲】
【請求項１】
一端が空気吹き出し口とされると共に他端が空気供給口とされて内部が通風路を構成する枠体内に、風向調節用として複数のフィンが並列に配置されて各フィンが両端の回動軸で軸着され、前記複数のフィンが同一方向へ回動可能とされたレジスタにおいて、
前記フィンは板状部と、該板状部の長さ方向両端に回動軸を備えると共に、隣り合うフィン同士については、前記板状部における空気吹き出し口側の端部又は空気供給口側の端部がヒンジ部で連結されていることを特徴とするレジスタ。
【請求項２】
前記ヒンジ部は、前記板状部の長さ方向に沿って一部に形成されていることを特徴とする請求項１に記載のレジスタ。
【請求項３】
前記複数のフィンは前記枠体に３枚以上軸着され、一つのフィンと該フィンの両側のフィンとの間に形成されているヒンジ部同士は、前記一つのフィンの一側のヒンジ部が当該フィンの板状部における空気吹き出し口側の端部又は空気供給口側の端部の何れか一側の端部のみに位置すると共に、前記一つのフィンの他側のヒンジ部が当該フィンの板状部における他側の端部のみに位置することを特徴とする請求項１又は２に記載のレジスタ。
【請求項４】
前記複数のフィンは、前記ヒンジ部で平面状に連結された状態で成形され、前記ヒンジ部で前記複数のフィンが屈曲された状態で前記枠体に軸着されていることを特徴とする請求項１から３の何れか一項に記載のレジスタ。
【請求項５】
前記ヒンジ部は中央部分に比べて前記板状部との境界位置が薄くされていることを特徴とする請求項１から４の何れか一項に記載のレジスタ。
【請求項６】
前記ヒンジ部は、中央部分とその両側の両端部部分とを有し、前記中央部分と前記両端部分との境界位置と、前記両端部分における前記板状部との境界位置との４箇所が屈曲可能な薄肉に形成されていることを特徴とする請求項１から５の何れか一項に記載のレジスタ。
【発明の詳細な説明】
【技術分野】
【０００１】
本発明は、自動車等における空調用の風向を調節するためのレジスタに関する。
【背景技術】
【０００２】
従来、空調用風向を調節するレジスタとして、図８に示すレジスタ６０がある。前記レジスタ６０は、枠体６１内に複数の縦フィン７１と複数の横フィン８１が設けられている。また、図示の例では、横フィン８１は枠体６１に固定された固定フィンとされ、それに対して縦フィン７１は両端で枠体６１に回動可能に軸支された回動可能フィンとされ、さらに、枠体６１はインストルメントパネルの開口部に上下方向への回動を可能として取り付けられるように構成されている。前記レジスタ６０は、図９に示すように、複数の縦フィン（回動可能フィン）７１に回動用リンク部材９１が取り付けられ、複数の縦フィン（回動可能フィン）７１のうち１つの縦フィンに設けられた操作部９５を左右に動かすことによって、複数の縦フィン７１を同時に左右へ回動可能に構成されている。回動用リンク部材９１は、前記複数の縦フィン（回動可能フィン）７１の端部に形成されたピン７３を挿入するためのピン用孔９２が形成され、前記ピン用孔９２に縦フィンのピン７３が挿通されることによって、複数の縦フィンを同時に回動させるようになっている。
【０００３】
前記レジスタ６０において、上下方向へ風向を調節する際は、前記枠体６１を横フィン（固定フィン）８１と共に上下方向へ回動させ、また、左右方向へ風向を調節する際には、前記操作部９５によって縦フィン７１を左右方向へ回動させる。なお、前記固定フィンは枠体と一体に形成されたものと、枠体とは別体で形成され、その後に嵌着や接着等で枠体に固定されたものとがある。
【０００４】
しかし、前記回動用リンク部材９１を用いるレジスタ６０においては、複数の縦フィン（回動可能フィン）７１に回動用リンク部材９１を組み付ける際に、各部品が小さいため組み付け作業がし難く、手間取る問題がある。さらに、その状態で複数の縦フィン（回動可能フィン）７１と回動用リンク部材９１を枠体６１に組み付ける際に、隣り合う縦フィン（回動可能フィン）７１間の間隔が近いため、縦フィン７１の両端の回動軸７２を枠体６１の軸孔６２に挿入する作業がし難く、手間取る問題がある。
【先行技術文献】
【特許文献】
【０００５】
【特許文献１】特開平７−８９３３８号公報
【特許文献２】特開２００２−３０７９３９号公報
【発明の概要】
【発明が解決しようとする課題】
【０００６】
本発明は前記の点に鑑みなされたものであって、フィンに回動用リンク部材を取り付ける必要がなく、枠体へのフィンの組み付け作業が容易なレジスタの提供を目的とする。
【課題を解決するための手段】
【０００７】
請求項１の発明は、一端が空気吹き出し口とされると共に他端が空気供給口とされて内部が通風路を構成する枠体内に、風向調節用として複数のフィンが並列に配置されて各フィンが両端の回動軸で軸着され、前記複数のフィンが同一方向へ回動可能とされたレジスタにおいて、前記フィンは板状部と、該板状部の長さ方向両端に回動軸を備えると共に、隣り合うフィン同士については、前記板状部における空気吹き出し口側の端部又は空気供給口側の端部がヒンジ部で連結されていることを特徴とする。
【０００８】
請求項２の発明は、請求項１において、前記ヒンジ部は、前記板状部の長さ方向に沿って一部に形成されていることを特徴とする。
【０００９】
請求項３の発明は、請求項１又は２において、前記複数のフィンは前記枠体に３枚以上軸着され、一つのフィンと該フィンの両側のフィンとの間に形成されているヒンジ部同士は、前記一つのフィンの一側のヒンジ部が当該フィンの板状部における空気吹き出し口側の端部又は空気供給口側の端部の何れか一側の端部のみに位置すると共に、前記一つのフィンの他側のヒンジ部が当該フィンの板状部における他側の端部のみに位置することを特徴とする。
【００１０】
請求項４の発明は、請求項１から３の何れか一項において、前記複数のフィンは、前記ヒンジ部で平面状に連結された状態で成形され、前記ヒンジ部で前記複数のフィンが屈曲された状態で前記枠体に軸着されていることを特徴とする。
【００１１】
請求項５の発明は、請求項１から４の何れか一項において、前記ヒンジ部は中央部分に比べて前記板状部との境界位置が薄くされていることを特徴とする。
【００１２】
請求項６の発明は、請求項１から５の何れか一項において、前記ヒンジ部は、中央部分とその両側の両端部部分とを有し、前記中央部分と前記両端部分との境界位置と、前記両端部分における前記板状部との境界位置との４箇所が屈曲可能な薄肉に形成されていることを特徴とする。
【発明の効果】
【００１３】
請求項１の発明によれば、隣り合うフィン同士がヒンジ部で連結されているため、複数のフィンに回動用リンク部材を組み付ける必要がなくなり、枠体へのフィンの組み付け作業が容易になる。
【００１４】
請求項２の発明によれば、ヒンジ部が板状部における長さ方向に沿って一部に、すなわち部分的に形成されているため、空気がフィン間を通る際にヒンジ部で邪魔され難く、風量の低下や吹き出し異音の発生を防ぐことができる。
【００１５】
請求項３の発明によれば、隣り合うフィン同士は板状部における空気吹き出し口側の端部又は空気供給口側の端部の何れか一側の端部のみ、すなわち片側の端部のみで連結されるため、隣り合うフィン同士は回動時におけるヒンジ部の屈曲抵抗が小さく、フィンの回動をスムーズに行うことができる。
【００１６】
請求項４の発明によれば、複数のフィンがヒンジ部で平面状に連結された状態で成形され、前記ヒンジ部の位置で複数のフィンが屈曲された状態で枠体に軸着されているため、フィンの成形が容易であると共に、複数のフィンをヒンジ部で曲げるだけで並列にすることができ、枠体への組み付け作業が容易になる。
【００１７】
請求項５の発明によれば、ヒンジ部は、中央部分に比べて板状部との境界位置が薄くされているため、板状部との境界位置が屈曲位置となり、中央部分の長さを設定することによりフィン間隔を調節することができる。
【００１８】
請求項６の発明によれば、ヒンジ部は、中央部分とその両側の両端部部分とを有し、中央部分と両端部分との境界位置と、両端部分における板状部との境界位置との４箇所で屈曲可能な薄肉にされているため、中央部分及び両端部分の長さを設定することによりフィン間隔を調節することができると共に、ヒンジ部が４箇所で屈曲するため、フィンの回動時にヒンジ部の屈曲が容易になり、フィンの回動をさらにスムーズに行うことができる。
【図面の簡単な説明】
【００１９】
【図１】本発明の一実施例に係るレジスタの斜視図である。
【図２】同実施例における縦フィンと横フィンを示す斜視図である。
【図３】同実施例における縦フィンを示す斜視図である。
【図４】同実施例における複数の縦フィンがヒンジ部で平面状に連結された状態を示す斜視図である。
【図５】同実施例における複数の縦フィンの屈曲を説明する平面図である。
【図６】同実施例における複数の縦フィンをヒンジ部で屈曲させた状態の平面図である。
【図７】同実施例における複数の縦フィンの回動時を示す平面図である。
【図８】従来のレジスタの斜視図である。
【図９】従来のレジスタの縦フィンと横フィンを示す斜視図である。
【発明を実施するための形態】
【００２０】
以下、本発明のレジスタについて、図面を用いて説明する。図１に示す実施例のレジスタ１０は、自動車の空調用の風向を調節するものであり、インストルメントパネルに取り付けられて背部がエアコンと連結される。前記レジスタ１０は、枠体１１、横フィン２１及び縦フィン３１を有し、操作つまみ５１を上下に動かすことによりレジスタ１０が上下に回動して風向きの上下方向の調節を行い、また操作つまみ５１を左右にスライドさせることにより風向きの左右方向の調節を行うようになっている。
【００２１】
前記枠体１１は、前後の両端が開口し、前側の開口が空気吹き出し口１２、背部の開口が空気供給口１３を構成し、内部が通風路１４を構成するものであり、ハウジングやリテーナとも称される。前記枠体１１の左右の側部外面には、インストルメントパネルの開口部に上下回動可能に取り付けるための上下回動用軸部１６が形成され、さらに、枠体１１の上下面には、縦フィンの回動軸挿入孔１７が形成されている。また、前記枠体１１内の空気吹き出し口１２側には、横フィン２１が前記枠体１１と一体に複数形成されている。図２には枠体１１内の横フィン２１と縦フィン３１の状態を、枠体１１を除去して示す。
【００２２】
前記横フィン２１は、前記枠体１１の上下回動により枠体１１と共に上下に回動して風向きの上下方向調節を行うフィンである。前記横フィン２１は、板状体からなって板状体の長さ方向Ｌ１が水平方向とされ、上下間隔が所定間隔とされて並列に前記枠体１１に設けられている。
【００２３】
前記枠体１１内の横フィン２１の背部には、縦フィン３１が左右回動可能に複数取り付けられている。
前記縦フィン３１は、左右回動によって風向きの左右方向調節を行うフィンであり、請求項１におけるフィンに相当する。各縦フィン３１は、図３にも示すように、板状部３３と、該板状部３３の長さ方向Ｌ２の両端に形成された回動軸３７とを有する。前記回動軸３７は、前記枠体１１における縦フィンの回動軸挿入孔１７に挿入される。前記板状部３３は平面視形状が長方形からなり、長さ方向Ｌ２両端の短辺（端面）３４に前記回動軸３７が形成されている。また、前記複数の縦フィン３１は、３枚以上（本実施例では３枚）からなり、隣り合うフィン３１同士、すなわちフィン３１Ａとフィン３１Ｂ、フィン３１Ｂとフィン３１Ｃ同士については、前記板状部３３における空気吹き出し口側の端部３５又は空気供給口側の端部３６がヒンジ部４１で連結されている。なお、前記板状部３３において空気吹き出し口側の端部３５又は空気供給口側の端部３６は、板状部３３の長辺に相当する。なお、符号３３Ａは前記フィン３１Ａの板状部、３３Ｂは前記フィン３１Ｂの板状部、３３Ｃは前記フィン３１Ｂの板状部をそれぞれ示す。また、符号４１ａｂは前記フィン３１Ａと３１Ｂ間のヒンジ部、４１ｂｃは前記フィン３１Ｂと３１Ｃ間のヒンジ部を示す。
【００２４】
前記ヒンジ部４１と前記フィン３１は一体に射出成形された樹脂製品からなる。前記ヒンジ部４１は、前記板状部３３の空気吹き出し口側の端部３５又は空気供給口側の端部３６において、長さ方向Ｌ２に沿って一部に、すなわち部分的に形成されている。本実施例では前記空気吹き出し口側の端部３５又は空気供給口側の端部３６において長さ方向Ｌ２に沿って端の位置にのみ形成されている。さらに、本実施例では、一つのフィン３１Ｂと該フィン３１Ｂの両側のフィン３１Ａ，３１Ｃとの間に形成されているヒンジ部４１ａｂ、４１ｂｃ同士は、前記一つのフィン３１Ｂの一側のヒンジ部４１ａｂが、当該フィン３１Ｂの板状部３３Ｂ及び当該フィン３１Ｂの一側のフィン３１Ａの板状部３３Ａにおける空気吹き出し口側の端部３５Ｂ，３５Ａ又は空気供給口側の端部３６Ｂ，３６Ａの何れか一側の端部、本実施例では３６Ｂ，３６Ａのみに位置すると共に、前記一つのフィン３１Ｂの他側のヒンジ部４１ｂｃが、当該フィン３１Ｂの板状部３３Ｂ及び当該フィン３１Ｂの他側のフィン３１Ｃの板状部３３Ｃにおける他側の端部３５Ｂ，３５Ｃのみに位置している。
【００２５】
さらに、本実施例における前記ヒンジ部４１は、図５に示すように、中央部分４３とその両側の両端部分４５，４５とを有するヒンジ片からなり、中央部分４３と両端部分４５，４５との境界位置４６，４６と、前記両端部分４５，４５における前記板状部３３，３３との境界位置４７，４７との４箇所が屈曲可能な薄肉に形成されている。前記ヒンジ部４１における各境界位置の薄肉は、凹溝あるいはＶ溝等で構成されている。前記ヒンジ部４１の一例として、中央部分４３の長さ１３ｍｍ、厚み１．５ｍｍ、両端部分４５の長さ２ｍｍ、厚み１．２ｍｍ、中央部分４３と両端部分４５，４５との境界位置４６，４６の厚み０．８ｍｍ、両端部分４５，４５と板状部３３，３３との境界位置４７，４７の厚み０．８ｍｍを挙げる。
【００２６】
前記複数の縦フィン３１とヒンジ部４１は、図４及び図５に示すように、前記ヒンジ部４１で平面状に連結された状態で一体品で射出成形される。前記平面状に成形された一体品において、前記ヒンジ部４１は、前記縦フィン３１の板状部３３の厚み方向ｔの端に形成されている。さらに、一つのフィン３１における板状部３３の両側のヒンジ部４１，４１については、前記板状部３３の厚み方向ｔにおいて、互いに反対の側３８，３９に形成されている。
【００２７】
前記平面状に形成された複数の縦フィン３１とヒンジ部４１の一体品は、前記枠体１１への組み付けに際し、図５に示すように、中央の縦フィン３１Ｂに対して、両側の縦フィン３１Ａと３１Ｃを、前記ヒンジ部４１ａｂ，４１ｂｃにおける前記薄肉の各境界位置４６，４６，４７，４７を屈曲点として反対方向Ｒ１，Ｒ２へ屈曲し、図６のように複数の縦フィン３１（３１Ａ，３１Ｂ，３１Ｃ）を平行な並列状態にする。前記屈曲した並列状態で、前記枠体１１の空気供給口１３内に挿入し、前記各縦フィン３１の回動軸３７を前記枠体１１における縦フィンの回動軸挿入孔１７に挿入することにより、前記複数の縦フィン３１が前記横フィン２１の背部に組み付けられる。その際、複数の縦フィン３１がヒンジ部４１を介して連結しているため、複数の縦フィン３１に従来の回動用リンク部材を組み付ける必要がなくなり、前記枠体１１への縦フィン３１の組み付け作業を容易に行うことができる。
【００２８】
なお、中央の縦フィン３１Ｂにおける板状部３３Ｂには、空気吹き出し口側端部３５Ｂに前記操作つまみ５１が嵌合等により取り付けられる。前記操作つまみ５１は、前記横フィン２１間を通って前記枠体１１の空気吹き出し口１２から外方へ突出する。
【００２９】
前記枠体１１に取り付けられた複数の縦フィン３１は、図７に示すように、前記操作つまみ５１を左右に動かすことにより、前記操作つまみ５１が取り付けられている縦フィン３１Ｂが操作つまみ５１の動きと対応する方向へ回動する。その際、前記縦フィン３１Ｂの両側のヒンジ部４１ａｂ，４１ｂｃが、前記縦フィン３１Ｂの回動方向へ動き、前記ヒンジ部４１ａｂ，４１ｂｃを介して前記縦フィン３１Ｂの両側の縦フィン３１Ａ，３１Ｃが、前記縦フィン３１Ｂと同一方向へ回動する。これによって、風向を左右に調節することができる。
【００３０】
本実施例では、複数の縦フィンに本発明の構成を適用したが、複数の横フィンに本発明を適用して複数の横フィンがヒンジ部を介して連結された構成としてもよい。更には、縦フィンと横フィンの両方に本発明の構成を適用してもよい。
【符号の説明】
【００３１】
１０  レジスタ
１１  枠体
１２  空気吹き出し口
１３  空気供給口
１４  通風路
２１  横フィン
３１，３１Ａ，３１Ｂ，３１Ｃ  縦フィン
３３，３３Ａ，３３Ｂ，３３Ｃ  板状部
３５．３５Ａ，３５Ｂ，３５Ｃ  板状部の空気吹き出し口側の端部
３６，３６Ａ，３６Ｂ，３６Ｃ  板状部の空気供給口側の端部
３７  回動軸
４１，４１ａｂ，４１ｂｃ  ヒンジ部
４３  ヒンジ部の中央部分
４５  ヒンジ部の両端部分
４６  中央部分と両端部分との境界位置
４７  両端部分における板状部との境界位置
【図１】
2010208569.tif 000003
【図２】
2010208569.tif 000004
【図３】
2010208569.tif 000005
【図４】
2010208569.tif 000006
【図５】
2010208569.tif 000007
【図６】
2010208569.tif 000008
【図７】
2010208569.tif 000009
【図８】
2010208569.tif 000010
【図９】
2010208569.tif 000011